(57)【要約】【課題】元のＩＣカードを使用しなくても、元のＩＣカードを使用していた際の振込取引に係る情報を新しいＩＣカードに書き込むことのできる自動振込装置を提供する。【解決手段】自動振込装置１００は、第１不揮発性記憶部を有する第１のＩＣカードを用いて行う振込取引の際に、第１振込情報をサーバ装置３００に送信する振込情報生成送信部１１１と、サーバ装置３００に保存された第１振込情報の少なくとも一部を含む第２振込情報を受信し、第２のＩＣカードの第２不揮発性記憶部に保存する振込情報保存部１１２と、を備える。【選択図】図１
2017130165.tif 000002
【特許請求の範囲】
【請求項１】
第１不揮発性記憶部を有する第１のＩＣカードを用いて行う振込取引の際に、第１振込情報をサーバ装置に送信する振込情報生成送信部と、
前記サーバ装置に保存された前記第１振込情報の少なくとも一部を含む第２振込情報を受信し、第２のＩＣカードの第２不揮発性記憶部に保存する振込情報保存部と
を備える自動振込装置。
【請求項２】
請求項１に記載の自動振込装置において、
新規に発行されたＩＣカードであるかどうかを判定し、前記新規に発行されたＩＣカードである場合に、前記第２振込情報を受信することを含む処理に移行させる新規カード判定部を更に備える
ことを特徴とする自動振込装置。
【請求項３】
請求項１又は２に記載の自動振込装置において、
前記第２のＩＣカードを用いた取引において、前記サーバ装置に保存された前記第１振込情報にアクセスすることについて認証するアクセス認証部を更に備える
ことを特徴とする自動振込装置。
【請求項４】
請求項１乃至３のいずれか一項に記載の自動振込装置において、
前記サーバ装置に保存された前記第１振込情報のうち、前記第２のＩＣカードに保存させる前記第２振込情報を選択させる振込情報選択部を更に備える
ことを特徴とする自動振込装置。
【請求項５】
請求項１乃至４のいずれか一項に記載の自動振込装置において、
前記第１振込情報は、前記振込取引のたびに生成される取引ログである
ことを特徴とする自動振込装置。
【請求項６】
請求項１乃至４のいずれか一項に記載の自動振込装置において、
前記第１振込情報は、前記第１のＩＣカードの前記第１不揮発性記憶部に保存された振込情報である
ことを特徴とする自動振込装置。
【請求項７】
請求項１乃至６のいずれか一項に記載の自動振込装置において、
前記第２振込情報は、前記振込取引の取引履歴を含む
ことを特徴とする自動振込装置。
【請求項８】
第１不揮発性記憶部を有する第１のＩＣカードを用いて行う振込取引の際に、第１振込情報をサーバ装置に送信し、
前記サーバ装置に保存された前記第１振込情報の少なくとも一部を含む第２振込情報を受信し、
第２のＩＣカードの第２不揮発性記憶部に保存する
振込情報保存方法。
【発明の詳細な説明】
【技術分野】
【０００１】
本発明は、自動振込装置及び振込情報保存方法に関し、例えば、金融機関やコンビニエンスストア等に設置される自動振込装置に適用して好適なものである。
【背景技術】
【０００２】
金融機関やコンビニエンスストアに設置された現金自動預払機においては、日常的に現金の預け入れや引き出し等の取引が行われている。昨今では、このような取引に利用されるカードのセキュリティのニーズが高まっており、預け入れや引き出し等の自動取引において、いわゆるＩＣ（Integrated Circuit）カードの利用が広がってきている。また、ＩＣカードには、利用者が取引で使用する振込情報等の多くの情報を格納できるものがあり、これらの情報はＩＣカードの利用者の利便性向上に寄与している。一方で、ＩＣカードには有効期限があり、利用者には、期限が過ぎたＩＣカードに保存された振込情報等の多くの情報を新しいＩＣカードに移行したいというニーズがある。
【０００３】
特許文献１は、カードリーダ部に挿入された情報引継ぎ元ＩＣカードから読み取った情報の一部または全部をカードリーダ部に挿入された情報引継ぎ先ＩＣカードへ書き込むことについて開示している。
【先行技術文献】
【特許文献】
【０００４】
【特許文献１】特開２００７−７９９２６号公報
【発明の概要】
【発明が解決しようとする課題】
【０００５】
しかしながら、新しいＩＣカードが必要となる場合は、有効期限における切り替えだけでなく、ＩＣカードの紛失や破損による場合もあり、このような元のＩＣカードがない場合や使用できない場合には、元のＩＣカードに記憶された情報を新しいＩＣカードに書き込むことができなかった。また、有効期限において新しいＩＣカードに切り替える際に、情報を移行するために元のＩＣカードと新しいＩＣカードの２枚が必要となるのは利用者にとって利便性のよいものとはいえなかった。
【０００６】
本発明は上述の点を考慮してなされたもので、元のＩＣカードを使用しなくても、元のＩＣカードを使用していた際の振込取引に係る情報を新しいＩＣカードに書き込むことのできる自動振込装置及び振込情報保存方法を提供しようとするものである。
【課題を解決するための手段】
【０００７】
かかる課題を解決するため、本開示における自動振込装置は、第１不揮発性記憶部を有する第１のＩＣカードを用いて行う振込取引の際に、第１振込情報をサーバ装置に送信する振込情報生成送信部と、前記サーバ装置に保存された前記第１振込情報の少なくとも一部を含む第２振込情報を受信し、第２のＩＣカードの第２不揮発性記憶部に保存する振込情報保存部と、を備える自動振込装置である。
【０００８】
また、本開示における振込情報保存方法は、第１不揮発性記憶部を有する第１のＩＣカードを用いて行う振込取引の際に、第１振込情報をサーバ装置に送信し、前記サーバ装置に保存された前記第１振込情報の少なくとも一部を含む第２振込情報を受信し、第２のＩＣカードの第２不揮発性記憶部に保存する振込情報保存方法である。
【発明の効果】
【０００９】
本発明によれば、元のＩＣカードを使用しなくても、元のＩＣカードを使用していた際の振込取引に係る情報を新しいＩＣカードに書き込むことができる。
【図面の簡単な説明】
【００１０】
【図１】本発明の一実施の形態に係る自動振込システムの構成について示す図である。
【図２】サーバ装置の構成について概略的に示す図である。
【図３】第１のＩＣカードの構成について概略的に示す図である。
【図４】第１のＩＣカードの第１制御部の内部構成について概略的に示す図である。
【図５】振込情報の構成の一例について示す図である。
【図６】取引履歴の構成の一例について示す図である。
【図７】第２のＩＣカードの構成について概略的に示す図である。
【図８】第２のＩＣカードの第２制御部の内部構成について概略的に示す図である。
【図９】操作案内部の表示装置に表示される取引開始の画面の一例について示す図である。
【図１０】振込選択時処理の一例について示すフローチャートである。
【図１１】第１振込情報の一例である取引ログの構成例について示す図である。
【発明を実施するための形態】
【００１１】
以下図面について、本発明の一実施の形態を詳述する。以下の説明において、同様の要素には同一の符号を付し、重複する説明を省略する。
【００１２】
（１）本実施の形態による自動振込システムの構成
図１は、本発明の一実施の形態に係る自動振込システム１０の構成について示す図である。この図に示されるように自動振込システム１０は、自動振込装置１００と、サーバ装置３００と、自動振込装置１００及びサーバ装置３００を通信接続する通信回線２００とから構成されている。ここで、サーバ装置３００は、自動振込装置１００で実施された各種取引の処理記録を取引ログとして、通信回線２００を通じて収集し管理するログサーバとすることができる。ログサーバに格納される取引ログはデータベースによって管理されており、自動振込装置にて取引を行った利用者のＩＤをキーとして対象の情報を検索して抽出できるものとすることができる。また、サーバ装置３００は、自動振込装置１００で実施された各種取引で利用された取引に関する情報のバックアップデータを、通信回線２００を通じて収集し管理するバックアップサーバであってもよい。バックアップサーバに格納されるバックアップデータはデータベースによって管理されており、自動振込装置１００にて取引を行った利用者のＩＤをキーとして対象のバックアップデータを検索して抽出できるものとすることができる。
【００１３】
自動振込装置１００は、銀行等の金融機関の店舗または、コンビニエンスストア等の店舗に設置され、一般に利用者に対して現金の入出金や振込処理等の取引サービスを提供するものであるが、これらの取引サービスのうち、少なくとも振込処理を行うものであればよい。自動振込装置１００は、カード部１０２と、伝票処理部１０３と、通帳処理部１０４と、操作案内部１０５と、現金処理部１０６と、通信部１０７と、制御部１１０とを有している。
【００１４】
カード部１０２は、キャッシュカードに埋め込まれた記憶素子から金融機関識別子を含む口座番号や、その他のカード情報を読み取り、取引成立時に必要に応じて前記したカード情報の一部を更新するリーダライタと、利用者によりカード挿入返却口から挿入されたカードを返却するカード搬送機構とを備える。ここで、カード部１０２は、キャッシュカードに貼り付けられた磁気ストライプを読み取る機構を更に有していてもよい。
【００１５】
伝票処理部１０３は、明細票プリンタ部及びジャーナルプリンタ部から構成されることができる。明細票プリンタ部は、利用者が行った取引の結果を明細票に印刷し、その明細票を利用者に抜き取らせるために、明細票排出口に排出させる処理を行う。明細票排出口には、排出した明細表が利用者に抜き取られたことを検知する機構が設けられていてもよい。また、ジャーナルプリンタ部は、利用者が行った取引の内容や操作の履歴または、自動振込装置１００の動作履歴を連続紙等に印刷し、記録するものである。なお、この記録は、電磁的媒体に記録されていてもよく、この場合には、ジャーナルプリンタ部を備えていなくてもよい。また、自動振込装置１００は、伝票処理部１０３を備えていなくてもよい。
【００１６】
通帳処理部１０４は、通帳に貼り付けられた磁気ストライプから金融機関識別子を含む口座情報その他の通帳情報を読み取る処理、取引結果に応じて通帳情報の一部を書き換える処理、取引の結果等を通帳の印字面に印刷する処理、および利用者によって通帳挿入返却口より挿入された通帳を処理毎に通帳処理部内の搬送位置に搬送したり、処理の終了した通帳を利用者に返却するために通帳挿入返却口に搬送する処理を行う。なお、自動振込装置１００は、通帳処理部１０４を備えていなくてもよい。
【００１７】
操作案内部１０５は、利用者に対し取引に必要な情報を表示したり、また、利用者からの操作を受け付けるものであり、液晶ディスプレイ等の表示部およびタッチパネル等の操作部で構成することができる。操作案内部１０５は、利用者に対して取引選択画面や入力操作を促すための案内画面を表示し、表示部上に配置されたタッチパネルにより、利用者が行う取引の入力操作等を検知する。操作案内部１０５は、このような構成に限られず、表示部及びタッチパネルを有することなく、キー入力のみを受け付けるような構成であってもよい。
【００１８】
現金処理部１０６は、現金の出金取引や入金取引に伴う紙幣および硬貨の入出金処理を行う。ここで入出金処理とは、現金処理部１０６の紙幣投入口あるいは硬貨投入口から投入された紙幣や硬貨を計数して現金収納部に搬送し、また、利用者からの操作指示によって指定した金額に相当する紙幣および硬貨を現金収納部から繰り出し、利用者に引き渡すために、紙幣投入口あるいは硬貨投入口に搬出することをいう。なお、現金処理部１０６は、硬貨の処理を行わず、紙幣のみの入出金処理を行うものであってもよい。また、自動振込装置１００は、現金処理部１０６を備えていなくてもよい。
【００１９】
通信部１０７は、通信回線２００に対してデータの送受信処理を行い、通信回線２００を介して接続されたホストコンピュータ、ログサーバやバックアップサーバといったサーバ装置３００等の外部の装置と通信を行う。
【００２０】
制御部１１０は、ＣＰＵ（Central Processing Unit）、ハードディスクやフラッシュメモリ等の不揮発性記憶装置、ＲＡＭ（Random Access Memory）等の揮発性記憶装置等からなり、制御プログラム（ソフトウェア）に基づいて上述の各種ハードウェアを制御し、自動振込装置１００の動作制御を行う。制御部１１０は、後述する第１のＩＣカード４００を用いて行う振込取引の際に、第１振込情報をサーバ装置３００に送信する振込情報生成送信部１１１と、サーバ装置３００から第１振込情報の少なくとも一部を含む第２振込情報６３０を受信し、第２振込情報６３０を、後述する第２のＩＣカード６００の第２不揮発性記憶部６２０に保存する振込情報保存部１１２と、第２のＩＣカード６００の保持者が、サーバに保存された第１振込情報にアクセスすることについて認証するアクセス認証部１１３と、サーバ装置３００に保存された第１振込情報から第２のＩＣカード６００に保存させる第２振込情報６３０を選択させる振込情報選択部１１４と、ＩＣカードの挿入を操作案内部１０５の表示装置及びカード部１０２を用いて促すと共に、挿入されたＩＣカードの少なくとも一部の情報を読み取るカード情報読取部１１５と、利用者による操作案内部１０５の操作を受信することにより、振込先の情報を特定し、振込処理を行う振込処理部１１６と、ＩＣカードが所有者により挿入されたものであるかどうかを確認する本人確認処理部１１７と、新規に発行されたＩＣカードであるかどうかを判定し、新規に発行されたＩＣカードである場合に、第２振込情報をダウンロードすることを含む処理に移行させる新規カード判定部１１８と、を有している。
【００２１】
図２は、サーバ装置３００の構成について概略的に示す図である。この図に示されるように、サーバ装置３００には、ＣＰＵ３０１と、ハードディスクやフラッシュメモリ等の不揮発性記憶装置３１０と、ＲＡＭ等の揮発性記憶装置３０２と、液晶表示装置等の出力装置及びマウス・キーボード等の入力装置からなる入出力装置３０４と、通信回線２００と接続する送受信部３０５とから構成されるコンピュータ装置を用いることができる。ここで、例えば、サーバ装置３００がログサーバである場合には、不揮発性記憶装置３１０は、取引ログ３２０が保存される取引ログ保存領域を有している。
【００２２】
図３は、ＩＣカードの一例である第１のＩＣカード４００の構成について概略的に示す図である。第１のＩＣカード４００は、自動振込装置１００のカード部１０２に挿入されて使用されるものであり、利用者が自動振込装置１００等で現金の出金取引や振込取引処理等の取引処理を行うにあたり、取引に必要な利用者の口座情報を記憶する。第１のＩＣカード４００は、情報の入出力制御及び情報へのアクセス認証等を行う第１制御部４１０と、第１制御部４１０に接続され、第１制御部４１０が自動振込装置１００のカード部１０２と通信を行うための端子である第１端子部４０２と、を有している。第１のＩＣカード４００は、従来の磁気ストライプを更に有していてもよい。
【００２３】
図４は、第１制御部４１０の内部構成について概略的に示す図である。この図に示されるように、第１制御部４１０は、ＣＰＵである第１処理装置４１１と、フラッシュメモリやＥＥＰＲＯＭ（Electrically Erasable Programmable Read-Only Memory）等の第１不揮発性記憶部４２０と、ＲＡＭ等の第１揮発性記憶部４１２と、第１端子部４０２及びカード部１０２を介して、自動振込装置１００の制御部１１０と通信を行う第１送受信部４１４と、を有している。ここで、第１不揮発性記憶部４２０は、第１のＩＣカード４００の所有者のプライマリアカウント番号（ＰＡＮ）、口座番号等を含み、磁気ストライプを有する場合には磁気ストライプに保存される磁気ストライプデータ、有効期限等の第１キャッシュカード情報４２２が保存されるキャッシュカード情報保存領域と、振込先の情報の振込情報４３０が保存される振込情報保存領域と、第１のＩＣカード４００を用いて行った直近の所定回数の振込処理についての履歴を保存する取引履歴４２４が保存される取引履歴保存領域と、例えば未だ一度も自動振込装置１００に挿入されたことのない新規のＩＣカードである場合に「１」が記憶されており、それ以外の場合には「０」が記憶されることにより、新規のＩＣカードであるかどうかを判別する第１新規カードフラグ４２５を保存する新規カードフラグ保存領域と、を有している。ここで、第１不揮発性記憶部４２０は、取引履歴保存領域を有していない構成であってもよいし、取引履歴４２４には、振込処理だけでなく、引き出し処理や預け入れ処理の履歴を含むものであってもよい。また、第１不揮発性記憶部４２０には、これらの他に第１処理装置４１１を動作させるためのコンピュータプログラムであるキャッシュカードアプリケーションが保存される。
【００２４】
図５は、振込情報４３０の構成の一例について示す図である。この図に示されるように、振込情報４３０は、振込先情報４３１と依頼人情報４３５とを有している。振込先情報４３１は、複数の振込先を含むことができ、それぞれ振込先の情報には、金融機関名、支店名、口座番号及び口座名義を含んでいる。この他、所定の額で振込を行うための振込金額等を含んでいてもよい。また、依頼人情報４３５は、振込の際に振込先に通知する振込元の情報であり、氏名、電話番号の他、識別番号等の情報を含むことができる。識別番号等の振込先ごとに異なる情報がある場合には、振込先情報４３１の振込先ごとに依頼人情報を有することとしてもよく、この場合には、振込金額を含んでいてもよい。
【００２５】
図６は、取引履歴保存領域に保存される取引履歴４２４の構成の一例について示す図である。この図に示されるように、取引履歴４２４は、取引日時、取引額、及び振込先情報４３１のいずれの振込先であるかの情報を含んでいる。取引履歴４２４は、すべての取引の履歴について保存してもよいし、直近の所定回数の取引について保存するものであってもよい。また、振込取引についてのみ保存するものであってもよいし、預け入れ、引き出し等の他の取引の履歴を含むものであってもよい。
【００２６】
図７には、新規に発行されたＩＣカードである第２のＩＣカード６００の構成について概略的に示す図である。第２のＩＣカード６００の構成は、第１のＩＣカード４００の構成と同様であり、第１制御部に対応する第２制御部６１０と、第１端子部に対応する第２端子部６０２と、を有している。
【００２７】
図８には、第２のＩＣカード６００の第２制御部６１０の内部構成について概略的に示す図である。第２制御部６１０の構成についても、第１制御部４１０の構成と同様であり、第２制御部６１０は、それぞれ第１制御部４１０の第１処理装置４１１、第１不揮発性記憶部４２０、第１揮発性記憶部４１２、第１送受信部４１４に対応する、第２制御部６１０の第２処理装置６１１、第２不揮発性記憶部６２０、第２揮発性記憶部６１２、第２送受信部６１４を有している。ここで、第２のＩＣカード６００は、新規に発行されたＩＣカードであるため、第２不揮発性記憶部６２０は、第２キャッシュカード情報６２２が保存されるキャッシュカード情報保存領域及び第２新規カードフラグ６２５が保存される新規カードフラグ保存領域のみを有しており、後述する処理によって第２振込情報６３０を受信して保存することにより振込情報保存領域が形成される。
【００２８】
（２）振込情報のアップロード処理
次に、上述の自動振込システム１０及び第１のＩＣカード等を用いた振込情報のアップロード処理について説明する。図９は、自動振込装置１００の操作案内部１０５の表示装置に表示される取引開始の画面５００の一例について示す図である。この図に示されるように、画面５００は、振込取引のボタン５０１を含む各種の取引を利用者に選択させるための画面であり、本実施の形態においては、振込取引のボタン５０１をタッチすることにより取引が開始される振込選択時処理について説明する。
【００２９】
図１０は、振込選択時処理の一例について示すフローチャートである。このフローチャートに示されるように、図９の取引開始の画面５００において、振込取引のボタン５０１が選択されると、カード情報読取部１１５は、ＩＣカードの挿入を操作案内部１０５の表示装置及びカード部１０２を用いて促し、第１のＩＣカード４００を受け付ける（Ｓ１０１）。引き続き、新規カード判定部１１８が、第１のＩＣカード４００の第１不揮発性記憶部４２０の第１新規カードフラグ４２５を読み取り、新規カードでないことを示す「０」であることを確認すると（Ｓ１０２）、本人確認処理Ｓ１０３に移行する。本人確認処理Ｓ１０３では、本人確認処理部１１７が、パスワードや図示しない指紋認証装置等の既知の手段により第１のＩＣカード４００の所有者であることを確認する。例えば、利用者により入力された暗証番号と第１のＩＣカード４００から読み取った口座番号等のキャッシュカード情報が、通信回線２００を介して、図示しないホストコンピュータへ送信され、ホストコンピュータにおいて、顧客データベースを検索して情報の照合等を行い、本人確認を行うこととしてもよい。所有者であることが確認できない場合にはカード部１０２からＩＣカードを返却し（Ｓ１０７）、処理を終了する。所有者であることが確認できた場合には、振込処理部１１６は、操作案内部１０５を介して振込先や振込金額の指定を受け付けて振込処理を行い（Ｓ１０４）、振込情報生成送信部１１１が、第１振込情報、例えば後述するような取引ログ３２０を生成し、通信部１０７を介してサーバ装置３００に送信する（Ｓ１０５）。
【００３０】
図１１は、第１振込情報の一例である取引ログ３２０の構成の例について示す図である。この例においては、サーバ装置３００はログサーバであり、第１振込情報は、直前に行われた振込処理の取引ログ３２０であることとするが、第１振込情報は、自動振込装置１００に保存される情報のバックアップ情報であってもよいし、第１のＩＣカード４００に保存された振込情報４３０や取引履歴４２４等の振込に関する情報とすることができる。また、振込情報生成送信部１１１は、振込の度に１回分の振込についての取引ログ３２０を送信してもよいし、複数回分の取引ログ３２０をまとめて送信することとしてもよい。図１１に示されるように、第１振込情報の一例である取引ログ３２０は、取引日時３２１、取引金額３２２、顧客ＩＤ３２３、第１キャッシュカード情報４２２、並びに振込先情報４３１及び依頼人情報４３５を含む振込情報４３０を含んでいる。
【００３１】
第１振込情報である取引ログ３２０を受信したサーバ装置３００は、サーバ装置３００に取引ログ３２０として、ＩＣカードの利用者ごとに保存される。サーバ装置３００に保存された第１振込情報としての取引ログ３２０は、データベースシステム内のレコードとして保存され、ある情報に基づいてレコードを検索および抽出することができ、サーバ装置３００は、その抽出したレコードの全てあるいは一部の情報を自動振込装置１００に送信することができる。しかしながら、第１振込情報としての取引ログ３２０のデータの保存の形態はこれに限られず、どのような保存のされ方であってもよい。
【００３２】
次に、振込情報保存部１１２は、振込情報保存領域に保存された振込情報４３０のいずれかの項目の情報が新しい場合には、保存された振込情報４３０を更新し、取引履歴保存領域に取引履歴４２４を追加することとしてもよい（Ｓ１０６）。しかしながら、ステップＳ１０６の処理は行われなくてもよい。最後に、カード情報読取部１１５は、第１のＩＣカード４００を、カード部１０２を介して利用者に返却する。
【００３３】
（３）振込情報のダウンロード処理
引き続き、自動振込システム１０及び第２のＩＣカード６００等を用いた振込情報のダウンロード処理について説明する。上述の第１のＩＣカード４００の利用者が、例えば、第１のＩＣカード４００の使用期限が切れたことにより、又は第１のＩＣカード４００の紛失・破損等により、新しく発行された第２のＩＣカード６００を使用する場合について図１０のフローチャートを用いて説明する。
【００３４】
図９の取引開始の画面５００において、上述の処理の場合と同様に、振込取引のボタン５０１が選択されると、カード情報読取部１１５は、ＩＣカードの挿入を操作案内部１０５の表示装置及びカード部１０２を用いて促し、第２のＩＣカード６００を受け付ける（Ｓ１０１）。引き続き、新規カード判定部１１８は、第２のＩＣカード６００の第２新規カードフラグ６２５を読み取り、新規カードであることを示す「１」であることを確認すると（Ｓ１０２）、第２振込情報のダウンロードを含むフローに移行し、アクセス認証処理Ｓ１０８を行う。アクセス認証処理Ｓ１０８では、アクセス認証部１１３が、パスワードや図示しない指紋認証装置等の既知の手段により、サーバ装置３００に保存された第１のＩＣカード４００の第１振込情報である取引ログ３２０等にアクセスすることができるかどうかについて認証する（Ｓ１０８）。ここで、サーバ装置３００に保存された第１のＩＣカード４００の第１振込情報等にアクセスすることができることについての認証には、第１のＩＣカード４００と同一の所有者であることの認証、第１のＩＣカード４００と口座番号等の識別番号が同一であり、第２のＩＣカード６００の所有者であること等の認証を含むものであり、上述の本人確認処理Ｓ１０３と同様の処理であってもよい。認証されなかった場合には、カード部１０２からＩＣカードが返却され（Ｓ１０７）、処理を終了する。認証された場合には、振込情報保存部１１２が、サーバ装置３００において、第１のＩＣカード４００の第１振込情報である取引ログ３２０が保存されており、第２のＩＣカード６００にダウンロードして使用する第２振込情報の候補があるかどうかを確認し（Ｓ１０９）、第２振込情報の候補がない場合には、第２新規カードフラグ６２５を「０」に書き換えて、カード部１０２からＩＣカードが返却し（Ｓ１０７）、処理を終了する。第２振込情報の候補がある場合には、振込情報保存部１１２は、利用者に、第２のＩＣカード６００にダウンロードして利用する第２振込情報を、操作案内部１０５を用いて選択させ（Ｓ１１０）、選択された第２振込情報をサーバ装置３００からダウンロードして、第２のＩＣカード６００の第２振込情報６３０として振込情報保存領域に保存する（Ｓ１１１）。その後、第２新規カードフラグ６２５を「０」に書き換えて、カード部１０２からＩＣカードを利用者に返却する（Ｓ１０７）。ここで、ステップＳ１１０の第２振込情報を選択の処理を行うことなく、第２振込情報の候補のすべてを第２振込情報６３０として第２のＩＣカード６００の振込情報保存領域に保存することとしてもよいし、予め定められた項目のみをダウンロードして振込情報保存領域に保存すること等としてもよい。また、第２振込情報６３０として振込情報保存領域に保存した後（Ｓ１１１）、本人確認処理Ｓ１０３に移行して、振込処理を行うこととしてもよい。
【００３５】
上述の実施の形態においては、新規のＩＣカードであるかどうかを確認することにより、第２振込情報をダウンロードするかどうかを選択する処理のフローに移行することとしたが、第２振込情報をダウンロードするかどうかの処理を、当該処理を行うボタンを利用者が選択すること等の利用者の判断に基づいて、行うこととしてもよい。
【００３６】
また、上述の実施の形態においては、振込取引のボタン５０１が選択された後に、新規のＩＣカードであるかどうかを確認することとしたが、いずれのボタンが選択された際にも、またいずれのボタンも選択されていなくても、ＩＣカードが挿入された際に、新規のＩＣカードであるかどうかを確認し、第２振込情報をダウンロードするための処理である、例えば図１０のステップＳ１０８等に移行することとしてもよい。
【００３７】
また、上述の実施の形態においては、第１振込情報を取引ログ３２０であることとしたが、第１振込情報には、自動振込装置１００のバックアップ情報、第１のＩＣカード４００の第１不揮発性記憶部４２０に保存された振込情報その他の振込に係る情報を用いることができる。
【００３８】
（４）本実施の形態の効果
本実施の形態に係る自動振込装置１００においては、第１不揮発性記憶部４２０を有する第１のＩＣカード４００を用いて行う振込取引の際に、第１振込情報である取引ログ３２０をサーバ装置３００に送信する振込情報生成送信部１１１と、サーバ装置３００に保存された第１振込情報の少なくとも一部を含む第２振込情報６３０を受信し、第２のＩＣカード６００の第２不揮発性記憶部６２０に保存する振込情報保存部１１２と、を備えているため、元のＩＣカード（第１のＩＣカード４００）を使用しなくても、元のＩＣカード（第１のＩＣカード４００）を使用していた際の振込取引に係る情報を新しいＩＣカード（第２のＩＣカード６００）に書き込むことができる。また、不慮の事故等により、情報引継ぎ元のＩＣカードに貼り付けられている記憶素子を破損し、内部の情報を読み出せなくなった場合、ならびに利用者の罹災等によって情報引継ぎ元のＩＣカードの紛失により、情報引継ぎ元のＩＣカードが利用者の手元にない場合においても、新しいＩＣカード（第２のＩＣカード６００）で元のＩＣカード（第１のＩＣカード４００）を使用していた際と同様の情報を利用することができる。
【００３９】
また、新規に発行されたＩＣカードであるかどうかを判定し、新規に発行されたＩＣカードである場合に、第２振込情報６３０を受信することを含む処理に移行させる新規カード判定部１１８を更に備えていてもよく、この場合には、利用者は、煩わしい操作を行うことなく、新しいＩＣカードにおいて、元のＩＣカードで使用していた情報を新しいＩＣカードに保存させることができる。
【００４０】
また、第２のＩＣカード６００を用いた取引において、サーバ装置３００に保存された第１振込情報にアクセスすることについて認証するアクセス認証部１１３を更に備えていてもよく、この場合には、第１のＩＣカード４００の所有者等である者以外の者に第１振込情報を取得されることなく、安全に情報をサーバ装置３００に保存することができる。
【００４１】
また、サーバ装置３００に保存された第１振込情報のうち、第２のＩＣカード６００に保存させる第２振込情報を選択させる振込情報選択部１１４を更に備えていてもよく、利用者は、必要な情報のみを第２のＩＣカード６００に保存させて、利用することができる。
【００４２】
また、第１振込情報は、振込取引のたびに生成される取引ログとすることができ、この場合には、サーバ装置３００には振込情報が漏れなく保存されるため、第２のＩＣカード６００の利用者は、第１のＩＣカード４００を使用していた際の振込情報を漏れなく利用することができる。
【００４３】
また、第１振込情報は、第１のＩＣカード４００の第１不揮発性記憶部４２０に保存された振込情報とすることができ、この場合には、利用者は第１振込情報をすべて第２振込情報として第２のＩＣカード６００に保存することにより、第１のＩＣカード４００と同様に第２のＩＣカード６００を使用することができる。
【００４４】
また、第２振込情報は、振込取引の取引履歴を含んでいてもよく、この場合には、第１のＩＣカード４００を使用した取引履歴を参照することができると共に、これらの振込情報を利用することができる。
【産業上の利用可能性】
【００４５】
本発明は、例えば、金融機関やコンビニエンスストア等に設置される自動振込装置に適用することができる。
【符号の説明】
【００４６】
１０    自動振込システム、１００  自動振込装置、１０２  カード部、１０３  伝票処理部、１０４  通帳処理部、１０５  操作案内部、１０６  現金処理部、１０７  通信部、１１０  制御部、１１１  振込情報生成送信部、１１２  振込情報保存部、１１３  アクセス認証部、１１４  振込情報選択部、１１５  カード情報読取部、１１６  振込処理部、１１７  本人確認処理部、１１８  新規カード判定部、２００  通信回線、３００  サーバ装置、３０２  揮発性記憶装置、３０４  入出力装置、３０５  送受信部、３１０  不揮発性記憶装置、３２０  取引ログ、３２１  取引日時、３２２  取引金額、３２３  顧客ＩＤ、４００  第１のＩＣカード、４０２  第１端子部、４１０  第１制御部、４１１  第１処理装置、４１２  第１揮発性記憶部、４１４  第１送受信部、４２０  第１不揮発性記憶部、４２２  第１キャッシュカード情報、４２４  取引履歴、４２５  第１新規カードフラグ、４３０  振込情報、４３１  振込先情報、４３５  依頼人情報、５００  画面、５０１  ボタン、６００  第２のＩＣカード、６０２  第２端子部、６１０  第２制御部、６１１  第２処理装置、６１２  第２揮発性記憶部、６１４  第２送受信部、６２０  第２不揮発性記憶部、６２２  第２キャッシュカード情報、６２５  第２新規カードフラグ、６３０  第２振込情報。
【図１】
2017130165.tif 000003
【図２】
2017130165.tif 000004
【図３】
2017130165.tif 000005
【図４】
2017130165.tif 000006
【図５】
2017130165.tif 000007
【図６】
2017130165.tif 000008
【図７】
2017130165.tif 000009
【図８】
2017130165.tif 000010
【図９】
2017130165.tif 000011
【図１０】
2017130165.tif 000012
【図１１】
2017130165.tif 000013